Podtech/llm-jp-corpus-v4-ja_patent huggingface dataset:
【手続補正書】
【提出日】平成24年6月25日(2012.6.25)
【手続補正１】
【補正対象書類名】特許請求の範囲
【補正対象項目名】全文
【補正方法】変更
【補正の内容】
【特許請求の範囲】
【請求項１】
吐出量の異なる複数種のノズルを備える記録ヘッドを用い、画像記録データに基づいてインクを記録媒体上に吐出することにより大きさの異なるドットを記録媒体上に形成するインクジェット記録装置において、
画像の記録に寄与しないインクを前記ノズルから吐出させる予備吐出を行なうための予備吐出データを生成する予備吐出データ生成手段を備え、
前記予備吐出データ生成手段は、複数のノズルのうち、他のノズルより吐出量の少ないノズルによって前記記録媒体にインクを予備吐出させる予備吐出データを生成することを特徴とするインクジェット記録装置。
【請求項２】
前記予備吐出データ生成手段は、複数のノズルのうち、他のノズルより吐出量の少ないノズルによって前記記録媒体にインクを予備吐出させる第１の予備吐出データと、前記他のノズルから前記記録媒体以外の位置にインクを予備吐出させる第２の予備吐出データとを生成することを特徴とする請求項１に記載のインクジェット記録装置。
【請求項３】
前記予備吐出データ生成手段は、前記他のノズルより吐出量の少ないノズルによって前記記録媒体にインクを吐出させる第１の予備吐出データと、前記記録媒体とは異なる位置に配置されているインク受け部へとインクを吐出させる第２の予備吐出データと、前記インク受け部及び前記記録媒体とは異なる位置にインクを吐出させる第３の予備吐出データと、を生成することを特徴とする請求項１に記載のインクジェット記録装置。
【請求項４】
前記第１の予備吐出データは、前記画像データに合成されることを特徴とする請求項２または３に記載のインクジェット記録装置。
【請求項５】
前記予備吐出データ生成手段は、異なる記録モードに応じて異なる前記第１の予備吐出データを生成することを特徴とする請求項２ないし４のいずれかに記載のインクジェット記録装置。
【請求項６】
吐出量の異なる複数種のノズルを備える記録ヘッドを用い、画像記録データに基づいてインクを記録媒体上に吐出することにより大きさの異なるドットを記録媒体上に形成するインクジェット記録装置において、
画像の記録に寄与しないインクを前記ノズルから吐出させる予備吐出を行なうための予備吐出データを生成する予備吐出データ生成手段を備え、
前記予備吐出データ生成手段は、複数のノズルのうち、他のノズルより吐出量の少ないノズルによって前記記録媒体に所定のタイミングでインクを予備吐出させると共に、前記他のノズルから記録媒体上へと前記所定のタイミングとは異なるタイミングでインクを予備吐出させる予備吐出データを生成することを特徴とするインクジェット記録装置。
【請求項７】
前記予備吐出データ生成手段は、ノズルに吐出不良が発生しない最大の休止時間である適正休止時間内に、インクを吐出させる予備吐出データを生成することをと特徴とする請求項１ないし６のいずれかに記載のインクジェット記録装置。
【請求項８】
前記記録ヘッドは、異なる種類のノズルをそれぞれ所定の方向に沿って配列してなり、
前記予備吐出データ生成手段は、前記記録ヘッドに配列された同一の種類の複数のノズルのうち、互いに隣接する位置に配置されたノズルから異なるタイミングでインクを予備吐出させることを特徴とする請求項１ないし７のいずれかに記載のインクジェット記録装置。
【請求項９】
前記記録ヘッドは、所定の吐出量のインクを吐出する第１のノズルと、前記第１のノズルより少ない吐出量のインクを吐出する第２のノズルと、を備えることを特徴とする請求項１ないし８のいずれかに記載のインクジェット記録装置。
【請求項１０】
前記記録ヘッドは、異なる吐出量のインクを吐出する３種類以上のノズルからなることを特徴とする請求項１ないし９のいずれかに記載のインクジェット記録装置。
【請求項１１】
前記記録ヘッドを前記記録媒体の同一の走査領域に対して複数回の走査をさせつつ、前記記録ヘッドからインクを吐出させることによって前記同一の走査領域内に記録すべき画像を完成させることを特徴とする請求項１ないし１０のいずれかに記載のインクジェット記録装置。
【請求項１２】
吐出量の異なる複数種のノズルを備える記録ヘッドを用い、画像記録データに基づいてインクを記録媒体上に吐出することにより大きさの異なるドットを記録媒体上に形成するインクジェット記録方法であって、
画像の記録に寄与しないインクを前記ノズルから吐出させる予備吐出を行なうための予備吐出データを生成する予備吐出データ生成工程を備え、
前記予備吐出データ生成工程は、複数のノズルのうち、他のノズルより吐出量の少ないノズルによって前記記録媒体にインクを予備吐出させる予備吐出データを生成することを特徴とするインクジェット記録方法。
【手続補正書】
【提出日】平成24年3月19日(2012.3.19)
【手続補正１】
【補正対象書類名】特許請求の範囲
【補正対象項目名】全文
【補正方法】変更
【補正の内容】
【特許請求の範囲】
【請求項１】
可撓性を有する基板上に、無線通信の機能を有する半導体素子層、及びセンサの機能を有する微小構造体を有する半導体装置の作製方法であって、
前記半導体素子層は、第１の配線及び第２の配線を有する電界効果トランジスタを有し、
前記微小構造体は、第３の配線及び第４の配線を有し、かつ、前記第３の配線と前記第４の配線との間に空間を有し、
第１の基板上に、互いに密着性の弱い第１の層及び第２の層を形成する工程と、
前記第２の層上に、前記半導体素子層を形成する工程と、
第２の基板上に、互いに密着性の弱い第３の層及び第４の層を形成する工程と、
前記第４の層上に、前記第３の配線、前記第４の配線、及び前記第３の配線と前記第４の配線との間に位置する犠牲層を形成する工程と、
前記第３の層と前記第４の層とを分離することにより、前記第２の基板から、前記第３の配線、前記第４の配線、及び前記犠牲層を分離する工程と、
前記分離された第３の配線、第４の配線、及び犠牲層を、異方性導電接着材を用いて前記半導体素子層上に貼り合わせることにより、前記異方性導電接着材を介して前記第１の配線と前記第３の配線とを電気的に接続するとともに、前記異方性導電接着材を介して前記第２の配線と前記第４の配線とを電気的に接続する工程と、
前記第１の層と前記第２の層とを分離することにより、前記第１の基板から、前記半導体素子層、前記異方性導電接着材、前記第３の配線、前記第４の配線、及び前記犠牲層を分離する工程と、
前記分離された半導体素子層、異方性導電接着材、第３の配線、第４の配線、及び犠牲層を、前記可撓性を有する基板に貼り合わせる工程と、
前記犠牲層を除去することにより、前記第３の配線と前記第４の配線との間に前記空間を形成する工程と、を有することを特徴とする半導体装置の作製方法。
【請求項２】
可撓性を有する基板上の、無線通信の機能を有する半導体素子層と、
前記半導体素子層上の、異方性導電接着材と、
前記異方性導電接着材上の、センサの機能を有する微小構造体と、を有し、
前記半導体素子層は、表面に配線を有し、
前記微小構造体は、前記異方性導電接着材を介して、前記配線と電気的に接続されていることを特徴とする半導体装置。
【請求項３】
請求項２において、
前記可撓性を有する基板は、有機樹脂及びシート状繊維体を含む構造体からなることを特徴とする半導体装置。
【手続補正書】
【提出日】平成24年5月29日(2012.5.29)
【手続補正１】
【補正対象書類名】特許請求の範囲
【補正対象項目名】全文
【補正方法】変更
【補正の内容】
【特許請求の範囲】
【請求項１】
容量性負荷に駆動信号を印加する容量性負荷駆動回路であって、
駆動波形信号をパルス変調して変調信号とする変調回路と、
第１のスイッチング素子と第２のスイッチング素子とを備え、前記変調信号を電力増幅して電力増幅変調信号とするデジタル電力増幅回路と、
前記電力増幅変調信号を平滑化して前記駆動信号とする平滑フィルタと、を備え、
前記第１のスイッチング素子および前記第２のスイッチング素子をオフ状態とし、
前記変調回路は、第１の変調周波数を用いて前記駆動波形信号のパルス変調を行い、前記変調回路は、前記駆動波形信号の電位が変化している状態から前記駆動波形信号の電位が変化しない状態に移行するときには、パルス変調の変調周波数を前記第１の変調周波数よりも増加することを特徴とする容量性負荷駆動回路。
【請求項２】
前記変調回路は、前記駆動波形信号の電位が変化しない状態から前記駆動波形信号の電位が変化する状態に移行するときには、パルス変調の変調周波数を前記第１の変調周波数よりも減少させることを特徴とする請求項１に記載の容量性負荷駆動回路。
【請求項３】
前記変調信号のハイレベルの期間は第１の期間であり、また、前記変調信号のローレベルの期間は第２の期間であり、
前記変調回路は、前記第１のスイッチング素子もしくは前記第２のスイッチング素子をオン状態とするときには、変調信号のハイレベル、もしくはローレベルの期間を、前記第１の期間もしくは前記第２の期間半分とすることを特徴とする請求項１又は２に記載の容量性負荷駆動回路。
【請求項４】
前記駆動波形信号を記憶するメモリを備え、前記メモリは駆動波形電位差データが記憶されていることを特徴とする請求項１乃至３の何れか一項に記載の容量性負荷駆動回路。
【請求項５】
前記駆動波形信号を記憶するメモリを備え、前記メモリは駆動波形電位データと前記駆動波形信号の電位が変化しているか否かの情報が記憶されていることを特徴とする請求項１乃至４の何れか一項に記載の容量性負荷駆動回路。
【請求項６】
前記駆動波形信号を記憶するメモリを備え、前記メモリは駆動波形電位データが記憶され、前記電力増幅停止手段は前記メモリから読出した駆動波形電位データの差分を算出し、前記差分が０である場合に前記デジタル電力増幅回路の動作を停止することを特徴とする請求項１乃至５の何れか一項に記載の容量性負荷駆動回路。
【請求項７】
前記メモリは、前記変調回路による変調周波数が記憶されていることを特徴とする請求項４乃至６の何れか一項に記載の容量性負荷駆動回路。
【請求項８】
請求項１乃至７の何れか一項に記載の容量性負荷駆動回路を備えた液体噴射装置。
【請求項９】
請求項８に記載の液体噴射装置を備えた印刷装置。
【手続補正書】
【提出日】平成24年5月15日(2012.5.15)
【手続補正１】
【補正対象書類名】明細書
【補正対象項目名】０００１
【補正方法】変更
【補正の内容】
【０００１】
本発明は、人体を保温する寝具などに使用する保温性シート分野、特に、加熱ヒータを用いず、自分の体温でシート表層部を加温させ、接触する部分の人体に温かさを感じさせる速暖性を有する感温シートに関する。
速暖性感温シートとは、シートに触った時、手や体の温かさでシートが温められ、手や体に温かいと感じるられるシートであって、シートに触った瞬間からの温度上昇を時間経過で計測してグレードを知る。
【手続補正２】
【補正対象書類名】明細書
【補正対象項目名】０００２
【補正方法】変更
【補正の内容】
【０００２】
寒冷時、加温していないふとんの中に入った時、ヒンヤリとした冷たさを感じる。体温により、寝具が徐々に温められ、体が温かさを感じてくるまでにはかなりの時間が掛かる。詰め物がウレタンフォームや繊維わたの場合、ウレタンフォーム中の空気や繊維間の空隙にある空気が体温で温められ、やがて寝具全体で温かさを感じることになる。即ち、この温かさを感じるまでの時間が少ない程、速暖性が高いと云える。
このような寒冷時、寝具の補助材として用いられるのが保温性シートであり、敷き寝具や掛け寝具と共に用いられる。また、ひざ掛けや体に巻きつけて暖をとることもできる。保温性シートは体と接して使うものであり、柔らかさ、クッション性の他に保温性や透湿性等の性能が要求され、着用する際には、特に加熱をしない限り、材料は周囲の環境温度と同じであり、寒冷時には、環境温度にある保温性シートと体温との温度差がある。
【手続補正３】
【補正対象書類名】明細書
【補正対象項目名】０００７
【補正方法】変更
【補正の内容】
【０００７】
本発明は上記の点に鑑みて、請求項１記載の発明にあっては、樹脂発泡シートが、２種又はそれ以上の重ね合わせたシートより構成され、各シートは、複数の通気孔を有し、これらの重ね合わされたシートを通気性布地で被覆してなる、多孔・多層空隙構造を形成し、且つ、厚さ方向に通気性を有する速暖性感温シートとした。
請求項２記載の発明にあっては、請求項１の速暖性感温シートの各シートに設けた複数の通気孔は、それぞれ形状・大きさを異ならしめ、重ね合わせた相隣接するシートの通気孔同士互いにオーバーラップされている速暖性感温シートとした。  
請求項３記載の発明にあっては、請求項１記載の速暖性感温シートの重ね合わせ積層されたシートをキルトし、一体化した速暖性感温シートとした。
請求項４記載の発明にあっては、請求項１記載の速暖性感温シートの樹脂発泡シートがポリオレフィン及び又はポリオレフィン共重合体よりなる発泡シートとした。
請求項５記載の発明にあっては、樹脂発泡シートが、ポリオレフィン及び、又はポリオレフィン共重合体と、ポリウレタン発泡シートである請求項１乃至５記載の速暖性感温シートとした。
請求項６記載の発明にあっては、請求項１乃至請求項５の速暖性感温シートにおいて、通気性布地の内側に繊維わたシートを配する速暖性感温シートとした。
【手続補正書】
【提出日】平成24年6月22日(2012.6.22)
【手続補正１】
【補正対象書類名】特許請求の範囲
【補正対象項目名】請求項１
【補正方法】変更
【補正の内容】
【請求項１】
Ｘ線管及びその電源装置を備えたＸ線源と、前記Ｘ線源から発生され、検査対象を透過したＸ線を検出するＸ線検出器と、前記Ｘ線源と前記Ｘ線検出器とを対向配置した回転板を備えたスキャナ回転部と、前記Ｘ線検出器が検出した透過Ｘ線に関するデータを用いて前記検査対象の画像を再構成する画像処理部と、前記Ｘ線源、Ｘ線検出器、スキャナ回転部および画像処理部を制御する制御部とを備えたＸ線ＣＴ装置において、
前記Ｘ線管の電源装置は、共通の交流電源と前記Ｘ線管との間に接続され、互いに異なる電圧を発生する複数の直流電圧発生装置と、各直流電圧発生装置と前記Ｘ線管との間に直列接続されたスイッチング手段とを備えたことを特徴とするＸ線ＣＴ装置。
【手続補正２】
【補正対象書類名】明細書
【補正対象項目名】発明の名称
【補正方法】変更
【補正の内容】
【発明の名称】Ｘ線ＣＴ装置及びＸ線管用高電圧発生装置
【手続補正３】
【補正対象書類名】明細書
【補正対象項目名】０００９
【補正方法】変更
【補正の内容】
【０００９】
上記課題を解決するため、本発明のＸ線ＣＴ装置は、交流電源とＸ線管との間に、互いに並列に複数の直流電圧発生装置を接続するとともに、各直流電圧発生装置とＸ線管との間に、それぞれ、スイッチング手段を備える。好適な態様において、スイッチング手段の一つは、ダイオードで置き換えることができ、ダイオードは複数の直流電圧発生装置のうち、最も出力電圧の小さい直流電圧装置とＸ線管との間に挿入される。
【手続補正書】
【提出日】平成24年6月2日(2012.6.2)
【手続補正１】
【補正対象書類名】特許請求の範囲
【補正対象項目名】全文
【補正方法】変更
【補正の内容】
【特許請求の範囲】
【請求項１】
食事用フォークの溝の洗浄に使用するスポンジであって、前記フォークの爪が納まる厚みを有し、長さ数センチの４乃至６本の直線状切り込みがフォークの爪間隔に略等しい間隔で前記厚みを貫いて形成されていることを特徴とするスポンジ。
【請求項２】
請求項１に記載のスポンジにおいて、前記直線状切り込みに代えて、または直線状切り込みに加えて、前記フォークの爪先が納まる大きさの４乃至６個の孔がフォークの爪間隔に略等しい間隔で前記厚みを貫いて形成されていることを特徴とするスポンジ。
【手続補正２】
【補正対象書類名】明細書
【補正対象項目名】０００９
【補正方法】変更
【補正の内容】
【０００９】
【図１】請求項１に係るスポンジの外観図である。
【図２】本願スポンジを使用したフォークの爪の洗浄法を説明する図である。
【図３】食事用フォークの爪先形状の例である。
【図４】直線状切り込みの間隔より広い爪間隔のフォークの洗浄法を説明する図である。
【図５】請求項２に係るスポンジの外観図、及びそれを用いた爪の洗浄法を説明する図である。
【図６】間隔の異なる２種類の直線状切り込みを設けたスポンジの外観図である。
【手続補正３】
【補正対象書類名】明細書
【補正対象項目名】００１９
【補正方法】変更
【補正の内容】
【００１９】
図面中、１はスポンジ、２、３は直線状切り込み、４はスポンジ、５は食事用フォーク、６はスポンジ、７はフォークの爪先、８は爪間隔の広い食事用フォーク、９、１０は孔、１１は食事用フォーク、１２、１４は狭い間隔の直線状切り込み、１３、１５は広い間隔の直線状切り込みを示す。
【手続補正書】
【提出日】平成24年1月13日(2012.1.13)
【手続補正１】
【補正対象書類名】明細書
【補正対象項目名】０００６
【補正方法】変更
【補正の内容】
【０００６】
本発明に係る加熱調理器の制御方法は、内容物を収容する調理容器と、調理容器を加熱する加熱手段と、調理容器の温度を検出する温度検出手段と、温度検出手段の検出結果に基づいて加熱手段を制御して炊飯工程を行う加熱制御手段と、炊飯工程内で発生する調理容器からの吹き溢れ液を回収し、回収した吹き溢れ液を調理容器内に戻すカートリッジと、を備えた加熱調理器の制御方法であって、炊飯工程として、加熱手段を制御して内容物が沸騰するまで調理容器を加熱する加熱工程と、該加熱工程の終了後、加熱工程終了時の調理容器の温度より高温の温度になるように加熱手段を制御する高温沸騰加熱工程と、該高温沸騰加熱工程の終了後、高温沸騰加熱工程の調理容器の温度より低い温度で調理容器内の内容物の沸騰を維持するように加熱手段を制御する沸騰維持制御工程と、該沸騰維持制御工程中にドライアップを検知した後、沸騰維持制御工程よりも更に調理容器の温度を下げるように加熱手段を制御する蒸らし工程と、を有するものである。
【手続補正２】
【補正対象書類名】特許請求の範囲
【補正対象項目名】全文
【補正方法】変更
【補正の内容】
【特許請求の範囲】
【請求項１】
内容物を収容する調理容器と、前記調理容器を加熱する加熱手段と、前記調理容器の温度を検出する温度検出手段と、前記温度検出手段の検出結果に基づいて前記加熱手段を制御して炊飯工程を行う加熱制御手段と、前記炊飯工程内で発生する前記調理容器からの吹き溢れ液を回収し、回収した吹き溢れ液を前記調理容器内に戻すカートリッジと、を備えた加熱調理器の制御方法であって、
前記炊飯工程として、
前記加熱手段を制御して前記内容物が沸騰するまで前記調理容器を加熱する加熱工程と、
該加熱工程の終了後、前記加熱工程終了時の前記調理容器の温度より高温の温度になるように前記加熱手段を制御する高温沸騰加熱工程と、
該高温沸騰加熱工程の終了後、前記高温沸騰加熱工程の前記調理容器の温度より低い温度で前記調理容器内の内容物の沸騰を維持するように前記加熱手段を制御する沸騰維持制御工程と、
該沸騰維持制御工程中にドライアップを検知した後、前記沸騰維持制御工程よりも更に前記調理容器の温度を下げるように前記加熱手段を制御する蒸らし工程と、を有することを特徴とする加熱調理器の制御方法。
【請求項２】
内容物を収容する調理容器と、前記調理容器を加熱する加熱手段と、前記調理容器が着脱可能に収納される調理器本体と、前記調理器本体に開閉自在に設けられた蓋体と、前記蓋体に着脱可能に取り付けられ、前記蓋体が閉じられたときに前記調理容器の上部開口部を塞ぐ内蓋と、前記調理器本体に着脱可能に設置された水槽と、一端が前記調理容器内と連通するように取り付けられ、他端が前記水槽に連結可能に取り付けられ、調理中に発生する前記調理容器からの蒸気を前記水槽内に案内するとともに、前記調理容器からの吹き溢れ液を回収し、回収した吹き溢れ液を前記調理容器に戻すように構成されている蒸気案内部と、前記調理容器の温度を検出する温度検出手段と、前記温度検出手段の検出結果に基づいて前記加熱手段を制御して炊飯工程を行う加熱制御手段と、を備えた加熱調理器の制御方法であって、
前記炊飯工程として、
前記加熱手段を制御して前記内容物が沸騰するまで前記調理容器を加熱する加熱工程と、
該加熱工程の終了後、前記加熱工程終了時の前記調理容器の温度より高温の温度になるように前記加熱手段を制御する高温沸騰加熱工程と、
該高温沸騰加熱工程の終了後、前記高温沸騰加熱工程の前記調理容器の温度より低い温度で前記調理容器内の内容物の沸騰を維持するように前記加熱手段を制御する沸騰維持制御工程と、
該沸騰維持制御工程中にドライアップを検知した後、前記沸騰維持制御工程よりも更に前記調理容器の温度を下げるように前記加熱手段を制御する蒸らし工程と、を有することを特徴とする加熱調理器の制御方法。
【請求項３】
前記沸騰維持制御工程は、前記調理容器の温度が、前記加熱工程で前記内容物の沸騰が検知されたときの前記調理容器の温度まで下がるように前記加熱手段を制御することを特徴とする請求項１又は２記載の加熱調理器の制御方法。
【請求項４】
前記高温沸騰加熱工程は、前記加熱手段への入力を前記加熱工程と同等もしくはそれ以上に増加させ連続通電することを特徴とする請求項１乃至３の何れかに記載の加熱調理器の制御方法。
【請求項５】
前記高温沸騰加熱工程における前記加熱手段の入力値は、調理全体の入力の最大値を含むことを特徴とする請求項１乃至４の何れかに記載の加熱調理器の制御方法。
【請求項６】
前記加熱工程は、前記温度検出手段で検出される前記調理容器の温度が一定温度以下になるように前記加熱手段を制御することを特徴とする請求項１乃至５の何れかに記載の加熱調理器の制御方法。
【請求項７】
前記カートリッジを、前記調理容器の上部開口部を塞ぐ内蓋に設けられた穴に着脱可能に挿入して取り付けた
ことを特徴とする請求項１又は請求項１に従属する請求項３乃至６の何れかに記載の加熱調理器の制御方法。
【請求項８】
前記カートリッジの蒸気口を前記内蓋の穴から離れた位置に設けたことを特徴とする請求項７記載の加熱調理器の制御方法。
【請求項９】
前記カートリッジの上部内側の前記内蓋の穴に対向する面に、吹き溢れ液の気泡を潰す鋭角部材を設けたことを特徴とする請求項７又は請求項８記載の加熱調理器の制御方法。
【請求項１０】
前記カートリッジは、吹き溢れ液の気泡を加熱して蒸発させる加熱手段を備えたことを特徴とする請求項１又は請求項１に従属する請求項３乃至９の何れかに記載の加熱調理器の制御方法。
【請求項１１】
前記炊飯工程は、前記加熱工程の終了後の所定時間の間、前記水槽が高温になることを防ぐために、前記加熱手段への入力を前記加熱工程と同等もしくはそれ以下に減少させ連続通電する工程を有することを特徴とする請求項２又は請求項２に従属する請求項３乃至６の何れかに記載の加熱調理器の制御方法。
【手続補正書】
【提出日】平成23年12月21日(2011.12.21)
【手続補正１】
【補正対象書類名】特許請求の範囲
【補正対象項目名】全文
【補正方法】変更
【補正の内容】
【特許請求の範囲】
【請求項１】
特別図柄表示部に可変表示される特別図柄の表示結果があらかじめ定められた特定表示態様となったときに遊技者に有利な遊技状態に制御可能な遊技機であって、
遊技の進行を制御する遊技制御手段と、少なくとも前記特別図柄表示部と装飾図柄を表示する装飾図柄表示部とを有する可変表示装置と、前記可変表示装置の表示状態を制御する可変表示制御手段とを備え、
前記可変表示制御手段は、前記特別図柄表示部に特別図柄を可変表示する制御を行う特別図柄表示制御手段と、前記特別図柄表示部に表示可能な表示内容よりも多い種類の表示内容を前記装飾図柄表示部に表示可能な装飾図柄表示制御手段とを含み、
前記遊技制御手段は、可変表示開始の条件の成立にもとづいて特別図柄の表示結果を特定可能なコマンドを前記可変表示制御手段に送出し、
前記可変表示制御手段は、前記遊技制御手段からの前記コマンドを受信し、前記特別図柄表示制御手段を用いて特別図柄を可変表示させるとともに前記装飾図柄表示制御手段を用いて装飾図柄を可変表示させ、前記特別図柄表示部の表示結果と前記装飾図柄表示部の表示結果とが整合するように可変表示制御する
ことを特徴とする遊技機。
【手続補正２】
【補正対象書類名】明細書
【補正対象項目名】００１０
【補正方法】変更
【補正の内容】
【００１０】
本発明による遊技機は、特別図柄表示部に可変表示される特別図柄の表示結果があらかじめ定められた特定表示態様となったときに遊技者に有利な遊技状態に制御可能な遊技機であって、遊技の進行を制御する遊技制御手段と、少なくとも前記特別図柄表示部と装飾図柄を表示する装飾図柄表示部とを有する可変表示装置と、前記可変表示装置の表示状態を制御する可変表示制御手段とを備え、前記可変表示制御手段は、前記特別図柄表示部に特別図柄を可変表示する制御を行う特別図柄表示制御手段と、前記特別図柄表示部に表示可能な表示内容よりも多い種類の表示内容を前記装飾図柄表示部に表示可能な装飾図柄表示制御手段とを含み、前記遊技制御手段は、可変表示開始の条件の成立にもとづいて特別図柄の表示結果を特定可能なコマンドを前記可変表示制御手段に送出し、前記可変表示制御手段は、前記遊技制御手段からの前記コマンドを受信し、前記特別図柄表示制御手段を用いて特別図柄を可変表示させるとともに前記装飾図柄表示制御手段を用いて装飾図柄を可変表示させ、前記特別図柄表示部の表示結果と前記装飾図柄表示部の表示結果とが整合するように可変表示制御するように構成されている。
【手続補正３】
【補正対象書類名】明細書
【補正対象項目名】００１１
【補正方法】変更
【補正の内容】
【００１１】
本発明によれば、遊技制御手段が、可変表示開始の条件の成立にもとづいて特別図柄の表示結果を特定可能コマンドを可変表示制御手段に送出し、可変表示制御手段が、遊技制御手段からのコマンドを受信し、特別図柄表示制御手段を用いて特別図柄を可変表示させるとともに装飾図柄表示制御手段を用いて装飾図柄を可変表示させ、特別図柄表示部の表示結果と装飾図柄表示部の表示結果とが整合するように可変表示制御するように構成したので、表示演出を豊富にするとともに、表示演出を豊富にしても遊技制御手段から可変表示制御手段に送出されるコマンド数が増加することのない遊技機を提供できる効果がある。
【手続補正書】
【提出日】平成23年12月21日(2011.12.21)
【手続補正１】
【補正対象書類名】特許請求の範囲
【補正対象項目名】全文
【補正方法】変更
【補正の内容】
【特許請求の範囲】
【請求項１】
表示状態が変化可能な複数の表示領域を有する可変表示部を含み、変動開始の条件の成立に応じて前記表示領域に表示される識別情報の変動を開始し、識別情報の表示結果があらかじめ定められた特定表示態様となったときに遊技者に有利な特定遊技状態に制御可能な遊技機であって、
遊技の進行を制御する遊技制御手段と、該遊技制御手段が送信するコマンドにもとづいて前記可変表示部の表示制御を行う表示制御手段とを備え、
前記遊技制御手段は、
前記特定遊技状態にするか否かを決定する特定遊技決定手段と、
所定の移行条件が成立すると、遊技状態を、前記特定遊技状態が発生しやすい特別遊技状態に移行させる特別遊技状態移行手段と、
前記特別遊技状態が発生した場合に継続的な該特別遊技状態の制御を終了させる条件の成立を判定する特別遊技終了判定手段と、
前記可変表示部の表示結果の表示態様を決定する結果態様決定手段と、
前記可変表示部の表示状態を変化させるためのコマンドを変化の時期に関連して前記表示制御手段が認識可能な態様で出力可能なコマンド出力手段とを含み、
前記コマンド出力手段は、
識別情報の変動を開始するときに識別情報の変動時間を特定可能なコマンドを前記表示制御手段に対して出力するとともに、識別情報の変動を終了するときに全ての前記表示領域における識別情報の確定を示すコマンドを前記表示制御手段に対して出力し、
前記特別遊技終了判定手段によって特別遊技状態の終了が判定された場合には該特別遊技状態の終了を識別可能な表示内容を特定可能なコマンドを出力し、
前記表示制御手段は、前記遊技制御手段からの前記特別遊技状態の終了を識別可能な表示内容を特定可能なコマンドに応じて、前記特別遊技状態の終了を識別可能な表示内容を表示させる表示制御を行い、
前記特別遊技状態の制御を終了させる条件は、所定回の識別情報の変動が実行されることにより成立する
ことを特徴とする遊技機。
【手続補正２】
【補正対象書類名】明細書
【補正対象項目名】０００８
【補正方法】変更
【補正の内容】
【０００８】
そこで、本発明は、遊技制御手段の負担を重くすることなく、遊技者に対して特別遊技状態が終了したことを報知できる遊技機を提供することを目的とする。
【手続補正３】
【補正対象書類名】明細書
【補正対象項目名】０００９
【補正方法】変更
【補正の内容】
【０００９】
本発明による遊技機は、表示状態が変化可能な複数の表示領域を有する可変表示部を含み、変動開始の条件の成立に応じて表示領域に表示される識別情報の変動を開始し、識別情報の表示結果があらかじめ定められた特定表示態様となったときに遊技者に有利な特定遊技状態に制御可能な遊技機であって、遊技の進行を制御する遊技制御手段と、遊技制御手段が送信するコマンドにもとづいて可変表示部の表示制御を行う表示制御手段とを備え、遊技制御手段は、特定遊技状態にするか否かを決定する特定遊技決定手段と、所定の移行条件が成立すると、遊技状態を、特定遊技状態が発生しやすい特別遊技状態に移行させる特別遊技状態移行手段と、特別遊技状態が発生した場合に継続的な特別遊技状態の制御を終了させる条件の成立を判定する特別遊技終了判定手段と、可変表示部の表示結果の表示態様を決定する結果態様決定手段と、可変表示部の表示状態を変化させるためのコマンドを変化の時期に関連して表示制御手段が認識可能な態様で出力可能なコマンド出力手段とを含み、コマンド出力手段は、識別情報の変動を開始するときに識別情報の変動時間を特定可能なコマンドを表示制御手段に対して出力するとともに、識別情報の変動を終了するときに全ての表示領域における識別情報の確定を示すコマンドを表示制御手段に対して出力し、特別遊技終了判定手段によって特別遊技状態の終了が判定された場合には特別遊技状態の終了を識別可能な表示内容を特定可能なコマンドを出力し、表示制御手段は、遊技制御手段からの特別遊技状態の終了を識別可能な表示内容を特定可能なコマンドに応じて特別遊技状態の終了を識別可能な表示内容を表示させる制御を行い、特別遊技状態の制御を終了させる条件は、所定回の識別情報の変動が実行されることにより成立することを特徴とする。
そのような構成によれば、遊技制御手段の負担を重くすることなく、遊技者に対して特別遊技状態が終了したことを報知することができる効果がある。
【手続補正書】
【提出日】平成24年6月21日(2012.6.21)
【手続補正１】
【補正対象書類名】特許請求の範囲
【補正対象項目名】全文
【補正方法】変更
【補正の内容】
【特許請求の範囲】
【請求項１】
鋼板、非鉄金属板、樹脂板、製紙、あるいはフィルム状の被洗浄面に付着した水分、油分、あるいは薬品成分等の液体を除去、搾取、洗浄する為のロールにおいて、前記ロールは、ロール部及び台座を有し、前記ロール部は不織布からなる概円環状のロール片が台座の外周に積層されて形成されてあり、前記台座は略円筒状の内筒体が中空状の外筒体に挿入された二層構造をなし、前記外筒体は開口部が形成された本体部と、前記本体部の両端に連接される継ぎ手部Ａ及び継ぎ手部Ｂを有し、前記継ぎ手部Ａ及び前記継ぎ手部Ｂは貫通部が形成され、前記貫通部は前記開口部と連通されてあり、前記本体部の外周には前記開口部に連通する外孔部が開設されてあると共に、前記ロール部が形成され、前記内筒体は空洞部が形成された軸体部と、前記軸体部の両端に連接される軸受け部Ａ及び軸受け部Ｂを有し、前記軸受け部Ａ及び／又は前記軸受け部Ｂは中空部が形成され、前記中空部は前記空洞部と連通されてあり、前記軸体部の外周の特定箇所には前記空洞部に連通する内孔部が開設されてあり、前記内孔部は前記外筒体が回転することにより、前記外孔部と順次、重なり合うと共に、流体が吸引されるよう形成されてあることを特徴とするロール。
【請求項２】
請求項１記載の構成よりなるロールにおいて、本体部の外周に流体導入溝部が形成され、前記流体導入溝部に外孔部が形成されてあることを特徴とするロール。
【請求項３】
請求項１記載の構成よりなるロールにおいて、ロール片の内周に切欠き部が設けられてあると共に、前記切欠き部が本体部の長手方向に連なることにより、流体導入溝部が形成され、外孔部のロール部側に前記流体導入溝部が位置することを特徴とするロール。
【請求項４】
請求項１から３のいずれか１項に記載の構成よりなるロールにおいて、内孔部を囲むシール部材が軸体部の外周に取り付けられ、前記シール部材は少なくとも流体の吸引時に、本体部の内周に摺接することを特徴とするロール。
【請求項５】
請求項４に記載の構成よりなるロールにおいて、軸体部の外周と、シール部材の間に弾性部材が挿入されてあることを特徴とするロール。
【請求項６】
請求項１から５のいずれか１項に記載の構成よりなるロールにおいて、軸体部と軸受け部Ａ及び／又は軸受け部Ｂの接合部の近傍は、空洞部の開口面積が、前記軸体部の略中央部の開口面積より小となるよう徐変部が形成されてあることを特徴とするロール。
【請求項７】
請求項１から６のいずれか１項に記載されたロールと、前記ロールを回転駆動する駆動手段と、軸受け部Ａ及び／又は軸受け部Ｂに配管を介して連通される真空ポンプを有する洗浄装置。
【手続補正２】
【補正対象書類名】明細書
【補正対象項目名】００１５
【補正方法】変更
【補正の内容】
【００１５】
請求項４の発明のロールは、特に、請求項１から３のいずれかのロールにおいて、内孔部を囲むシール部材が軸体部の外周に取り付けられ、前記シール部材は少なくとも流体の吸引時に、本体部の内周に摺接するもので、シール部材は、軸体部の外周と、本体部の内周の間に生じる隙間を埋める。従って、流体は外孔部から内孔部に流出する際、前記隙間に流れ込むことが防止されるので、圧力損失を抑えることができ、より強い真空吸引力で確実にロールの外部に排出される。
【手続補正３】
【補正対象書類名】明細書
【補正対象項目名】００１６
【補正方法】変更
【補正の内容】
【００１６】
請求項５の発明のロールは、特に、請求項４のロールにおいて、軸体部の外周と、シール部材の間に弾性部材が挿入されてあるもので、シール部材に弾力性が付与されることから、シール部材の耐摩耗性がアップし、ロールの耐久性の向上につながる。
【手続補正４】
【補正対象書類名】明細書
【補正対象項目名】００１７
【補正方法】変更
【補正の内容】
【００１７】
請求項６の発明のロールは、特に、請求項１から５のいずれかのロールにおいて、軸体部と軸受け部Ａ及び／又は軸受け部Ｂの接合部の近傍は、空洞部の開口面積が、前記軸体部の略中央部の開口面積より小となるよう徐変部が形成されてあるもので、外孔部、及び内孔部を介してロール部から軸体部の空洞部に吸引された流体は、空洞部に滞留することなく、徐変部の傾斜面に沿って、軸受け部Ａ及び／又は軸受け部Ｂに形成された中空部に流入し、ロールの外部に排出される。なお、軸体部の端部に傾斜面を有する徐変部が形成されていない場合、軸体部と軸受け部Ａ、及び軸受け部Ｂの連接箇所において、還流が発生し、液体が軸体部の空洞部に滞留することになり、効率よく確実に液体を吸引することが難しくなる。また、真空ポンプにたいする負荷も増大する。
【手続補正書】
【提出日】平成24年8月6日(2012.8.6)
【手続補正１】
【補正対象書類名】特許請求の範囲
【補正対象項目名】請求項１
【補正方法】変更
【補正の内容】
【請求項１】
かみそり刃組立体と、
前記かみそり刃組立体に設けられた軸受手段を支持し、該かみそり刃組立体の長手方向に延びて前記軸受手段を通る第１軸線の周りで該かみそり刃組立体を回動自在に支持する支持体であって、前記かみそり刃組立体を前記軸受手段に対する回動方向に付勢する第１付勢手段を備えた支持体と、
前記支持体を前記第１軸線と平行な第２軸線の周りでのみ回動自在に支持するホルダと、
前記支持体を前記第２軸線の周りで回動付勢する第２付勢手段を備えることを特徴とするＴ型安全かみそり。
【手続補正２】
【補正対象書類名】明細書
【補正対象項目名】０００８
【補正方法】変更
【補正の内容】
【０００８】
なお、特許文献１０及び特許文献１１は、本出願時の技術水準を示す参考の公報である。
【手続補正３】
【補正対象書類名】明細書
【補正対象項目名】０００９
【補正方法】変更
【補正の内容】
【０００９】
【特許文献１】特公昭５７−１２６４０号公報
【特許文献２】特開昭５５−９９２８９号公報
【特許文献３】実開昭５７−４５８６４号公報
【特許文献４】実開昭５７−５５４７０号公報
【特許文献５】実開昭５７−５８３６４号公報
【特許文献６】特許第３８７５２０７号
【特許文献７】実開昭５５−１４３１７７号公報
【特許文献８】特開平３−１７３５９５号公報
【特許文献９】特許第４１８４０７６号
【特許文献１０】特開２０００−３００８７１号公報
【特許文献１１】特開平２−５２６９４号公報
【手続補正４】
【補正対象書類名】明細書
【補正対象項目名】００２２
【補正方法】変更
【補正の内容】
【００２２】
上記問題を解決するために請求項１に記載の発明は、かみそり刃組立体と、前記かみそり刃組立体に設けられた軸受手段を支持し、該かみそり刃組立体の長手方向に延びて前記軸受手段を通る第１軸線の周りで該かみそり刃組立体を回動自在に支持する支持体であって、前記かみそり刃組立体を前記軸受手段に対する回動方向に付勢する第１付勢手段を備えた支持体と、前記支持体を前記第１軸線と平行な第２軸線の周りでのみ回動自在に支持するホルダと、前記支持体を前記第２軸線の周りで回動付勢する第２付勢手段を備えることを特徴とするＴ型安全かみそりを要旨とするものである。
【手続補正５】
【補正対象書類名】明細書
【補正対象項目名】００８２
【補正方法】変更
【補正の内容】
【００８２】
又、安全かみそり１は、支持体２００を仮想軸線Ｍ（第１軸線）と平行な第２軸線Ｏの周りで回動自在に支持するホルダ１００と、支持体２００を第２軸線Ｏの周りのみで回動付勢する前記バネ１１４（第２付勢手段）を備える。
【手続補正６】
【補正対象書類名】明細書
【補正対象項目名】０１０２
【補正方法】変更
【補正の内容】
【０１０２】
・  図１０、図１１は第１実施形態の安全かみそり１の構成中、下記のように構成を変更してもよい。この変形例では、第１実施形態の構成中、バネ支持突起１１３、当接部材１１５、バネ１１４が省略され、その代わりに、ホルダ１００の先端部に板バネ２５０を一体、或いは別部材を固定したものである。板バネ２５０の先端は、支持体２００の底壁に係止されている。ホルダ１００の先端は、二股状をなして一対のアーム部１４０が形成され、両アーム部１４０の外側面に軸部１４２がそれぞれ突出されている。そして、支持体２００は、その軸部１４２において、回動自在に支持されている。前記軸部１４２間は第２軸線Ｏが通過する。他の構成は第１実施形態と同一である。
【手続補正７】
【補正対象書類名】図面
【補正対象項目名】図１１
【補正方法】変更
【補正の内容】
【図１１】
2011005041.tif 000001
【手続補正書】
【提出日】平成24年5月21日(2012.5.21)
【手続補正１】
【補正対象書類名】特許請求の範囲
【補正対象項目名】全文
【補正方法】変更
【補正の内容】
【特許請求の範囲】
【請求項１】
被検体に光を照射するための光源と、
前記光により前記被検体内で発生した光音響波を検出する検出器と、
前記検出器から取得される検出信号に基づいて、前記被検体内部の情報を画像化し出力する信号処理装置と、を備え、
前記信号処理装置は、
前記検出信号または前記検出信号の振幅を調整した信号である第一の信号から第一のボリュームデータを形成し、
前記第一の信号の位相を変化させた信号である第二の信号から第二のボリュームデータを形成し、
前記第一のボリュームデータと前記第二のボリュームデータとから第三のボリュームデータを形成し、
前記第三のボリュームデータから出力画像を生成する
ことを特徴とする光音響イメージング装置。
【請求項２】
前記信号処理装置は、前記第一の信号に含まれる正周波数成分の位相を９０度遅らせるとともに、前記第一の信号に含まれる負周波数成分の位相を９０度早めることにより、前記第二の信号を生成することを特徴とする請求項１に記載の光音響イメージング装置。
【請求項３】
前記信号処理装置は、前記光を照射してから前記光音響波を検出するまでの時間に比例した係数を、前記検出信号に掛けることにより、前記第一の信号を生成することを特徴とする請求項１または２に記載の光音響イメージング装置。
【請求項４】
前記第三のボリュームデータは、前記第一のボリュームデータと前記第二のボリュームデータの二乗和の平方根に比例する値であることを特徴とする請求項１〜３のうちいずれかに記載の光音響イメージング装置。
【請求項５】
前記第三のボリュームデータは、前記第一のボリュームデータと前記第二のボリュームデータの絶対値の和に比例する値であることを特徴とする請求項１〜３のうちいずれかに記載の光音響イメージング装置。
【請求項６】
前記出力画像を表示する表示装置を有することを特徴とする請求項１〜５のうちいずれかに記載の光音響イメージング装置。
【請求項７】
光音響イメージング装置において用いる光音響イメージング方法であって、
被検体に照射した光により前記被検体内で発生した光音響波を検出器で検出するステップと、
前記検出器から取得された検出信号または前記検出信号の振幅を調整した信号である第一の信号から第一のボリュームデータを形成するステップと、
前記第一の信号の位相を変化させた信号である第二の信号から第二のボリュームデータを形成するステップと、
前記第一のボリュームデータと前記第二のボリュームデータとから第三のボリュームデータを形成するステップと、
前記第三のボリュームデータから前記被検体内部の情報を表す出力画像を生成するステップと、
を備えることを特徴とする光音響イメージング方法。
【請求項８】
コンピュータに、
被検体に照射した光により前記被検体内で発生した光音響波の検出信号を取得するステップと、
前記取得した検出信号または前記検出信号の振幅を調整した信号である第一の信号から第一のボリュームデータを形成するステップと、
前記第一の信号の位相を変化させた信号である第二の信号から第二のボリュームデータを形成するステップと、
前記第一のボリュームデータと前記第二のボリュームデータとから第三のボリュームデータを形成するステップと、
前記第三のボリュームデータから前記被検体内部の情報を表す出力画像を生成するステップと、
を実行させることを特徴とするプログラム。
【手続補正２】
【補正対象書類名】明細書
【補正対象項目名】０００８
【補正方法】変更
【補正の内容】
【０００８】
【非特許文献１】PHYSICAL REVIEW E 71, 016706(2005)
【非特許文献２】REVIEW OF SCIENTIFIC INSTRUMENTS, 77, 041101(2006)
【手続補正３】
【補正対象書類名】明細書
【補正対象項目名】００１２
【補正方法】変更
【補正の内容】
【００１２】
本発明の第二態様は、光音響イメージング装置において用いる光音響イメージング方法であって、被検体に照射した光により前記被検体内で発生した光音響波を検出器で検出するステップと、前記検出器から取得された検出信号または前記検出信号の振幅を調整した信号である第一の信号から第一のボリュームデータを形成するステップと、前記第一の信号の位相を変化させた信号である第二の信号から第二のボリュームデータを形成するステップと、前記第一のボリュームデータと前記第二のボリュームデータとから第三のボリュームデータを形成するステップと、前記第三のボリュームデータから前記被検体内部の情報を表す出力画像を生成するステップと、を備える光音響イメージング方法である。
【手続補正４】
【補正対象書類名】明細書
【補正対象項目名】００１３
【補正方法】変更
【補正の内容】
【００１３】
本発明の第三態様は、コンピュータに、被検体に照射した光により前記被検体内で発生した光音響波の検出信号を取得するステップと、前記取得した検出信号または前記検出信号の振幅を調整した信号である第一の信号から第一のボリュームデータを形成するステップと、前記第一の信号の位相を変化させた信号である第二の信号から第二のボリュームデータを形成するステップと、前記第一のボリュームデータと前記第二のボリュームデータとから第三のボリュームデータを形成するステップと、前記第三のボリュームデータから前記被検体内部の情報を表す出力画像を生成するステップと、を実行させるプログラムである。
【手続補正書】
【提出日】平成24年6月22日(2012.6.22)
【手続補正１】
【補正対象書類名】特許請求の範囲
【補正対象項目名】全文
【補正方法】変更
【補正の内容】
【特許請求の範囲】
【請求項１】
被検者眼に対して前後左右方向に移動される移動台と、
被検者眼を撮影するための撮影光学系を搭載し前記移動台上に載置される撮影部であって，被検者眼に投影するアライメント指標の検出結果に基づいて前記移動台に対して所定の基準位置を中心に前後左右に移動可能な撮影部と、
被検者眼の眼底を撮影する眼底撮影モードと前眼部を撮影する前眼部撮影モードを切換える撮影切換手段と、
該撮影切換手段で前眼部撮影モードが選択されたときの前記移動台に対する前記撮影部の前後方向の固定位置を、前記眼底撮影モードが選択されたときの前記移動台に対する前記撮影部の前後方向の前記基準位置より後側とする移動制御手段と、を備えることを特徴とする眼底撮影装置。
【請求項２】
請求項１の眼底撮影装置において、
アライメント指標の検出結果に基づき前記撮影部と被検者眼のアライメントを自動的に行う自動アライメントモードと，前記撮影部と被検者眼のアライメントを手動で行う手動アライメントモードとを切換えるモード切換手段とを備え、
前記移動制御手段は、前記モード切換手段で手動アライメントモードが選択されたときに、前記移動台に対する前記撮影部の前後方向の固定位置を前記自動アライメントモードにおける前記撮影部の前後方向の基準位置より前側とすることを特徴とする眼底撮影装置。
【請求項３】
請求項２の眼底撮影装置において、
前記移動制御手段は、前記モード切換手段で手動アライメントモードが選択された時に、前記撮影部の固定位置を前記撮影部の移動可能範囲の最前とすることを特徴とする眼底撮影装置。
【請求項４】
請求項２〜３の眼底撮影装置において、
前記眼底撮影モードでの前記移動台に対する前記撮影部の前後方向の基準位置は、前記自動アライメントにおける前後方向の移動範囲の中間位置、または中間位置よりも後側に設定されていることを特徴とする眼底撮影装置。
【手続補正２】
【補正対象書類名】明細書
【補正対象項目名】０００８
【補正方法】変更
【補正の内容】
【０００８】
（１）  被検者眼に対して前後左右方向に移動される移動台と、被検者眼を撮影するための撮影光学系を搭載し前記移動台上に載置される撮影部であって，被検者眼に投影するアライメント指標の検出結果に基づいて前記移動台に対して所定の基準位置を中心に前後左右に移動可能な撮影部と、被検者眼の眼底を撮影する眼底撮影モードと前眼部を撮影する前眼部撮影モードを切換える撮影切換手段と、該撮影切換手段で前眼部撮影モードが選択されたときの前記移動台に対する前記撮影部の前後方向の固定位置を、前記眼底撮影モードが選択されたときの前記移動台に対する前記撮影部の前後方向の前記基準位置より後側とする移動手段と、を備えることを特徴とする。
（２）  （１）の眼底撮影装置において、アライメント指標の検出結果に基づき前記撮影部と被検者眼のアライメントを自動的に行う自動アライメントモードと，前記撮影部と被検者眼のアライメントを手動で行う手動アライメントモードとを切換えるモード切換手段とを備え、前記移動制御手段は、前記モード切換手段で手動アライメントモードが選択されたときに、前記移動台に対する前記撮影部の前後方向の固定位置を前記自動アライメントモードにおける前記撮影部の前後方向の基準位置より前側とすることを特徴とする。
（３）  （２）の眼底撮影装置において、前記移動制御手段は、前記モード切換手段で手動アライメントモードが選択された時に、前記撮影部の固定位置を前記撮影部の移動可能範囲の最前とすることを特徴とする。
（４）  （２）〜（３）の眼底撮影装置において、
前記眼底撮影モードでの前記移動台に対する前記撮影部の前後方向の基準位置は、前記自動アライメントにおける前後方向の移動範囲の中間位置、または中間位置よりも後側に設定されていることを特徴とする。
【手続補正書】
【提出日】平成24年6月19日(2012.6.19)
【手続補正１】
【補正対象書類名】特許請求の範囲
【補正対象項目名】請求項１
【補正方法】変更
【補正の内容】
【請求項１】
周縁の少なくとも一部に立ち上がり部を有する形状の成形体を成形するための圧縮成形用型であって、
相対移動自在な一対の型を有し、前記一対の型は、相対接近してキャビティを形成した際に、前記キャビティにおける前記立ち上がり部を成形する部分の外周縁部で、相対移動の方向に対して垂直方向に延びる一定間隔の間隙を介して対向する一対の対向面をそれぞれ有し、前記間隙はシェアエッジ構造を経て型外に通じ、下型の前記対向面と下型の前記キャビティを成形する面の接する部分のなす角が鋭角でないことを特徴とする圧縮成形用型。
【手続補正書】
【提出日】平成24年6月22日(2012.6.22)
【手続補正１】
【補正対象書類名】特許請求の範囲
【補正対象項目名】全文
【補正方法】変更
【補正の内容】
【特許請求の範囲】
【請求項１】
シート面に対して移動可能であり、移動方向の先端に凹凸部を備えた第一の刃と、
前記第一の刃が凸部を先頭に、シートの一方の面側から嵌入することにより前記第一の刃とともにシートにパンチ孔を形成する第一のダイと、
シート面に対して移動可能であり、移動方向の先端に凹凸部を備えた第二の刃と、
前記第二の刃が凸部を先頭に、シートの他方の面側から嵌入する第二のダイと、を備え、
前記第二の刃は、前記第一の刃と前記第一のダイによりパンチ孔が形成されたシートの他方の面側から前記パンチ孔に挿入し、前記第二のダイに嵌入するとともに、
前記第一の刃と前記第二の刃は、前記第一の刃の凸部と前記第二の刃の凸部とが前記パンチ孔の外周においてずれた位置に接触するよう配置されていることを特徴とするシート穿孔装置。
【請求項２】
前記第一のダイに形成され、前記第一の刃が嵌入する第一のダイ孔と、
前記第二のダイに形成され、前記第二の刃が嵌入する第二のダイ孔と、
を備え、
前記第一の刃は前記第二のダイ孔に案内されて移動し、第一のダイ孔に嵌入し、
前記第二の刃は前記第一のダイ孔に案内されて移動し、第二のダイ孔に嵌入することを特徴とするシート穿孔装置。
【請求項３】
前記第一の刃と前記第二の刃が一体に往復動作をし、前記第一の刃は往動作をして前記第一のダイに嵌入することによりシートにパンチ孔を形成し、前記第二の刃は前記往動作により前記パンチ孔を通過した後、復動作をして、前記第一の刃で形成された前記パンチ孔に挿入し、前記第二のダイに嵌入することを特徴とする請求項１又は２記載のシート穿孔装置。
【請求項４】
前記第一のダイに形成され、前記第一の刃が嵌入を開始する入口端内周部を、有し、前記第一の刃がシートにパンチ孔を形成した後、前記第二の刃が前記入口端内周部を通過することを特徴とする請求項３に記載のシート穿孔装置。
【請求項５】
前記第一の刃が前記第一のダイに嵌入してシートにパンチ孔を形成した後に、前記パンチ孔が形成されたシートを前記第二のダイに押し付けるように移動させる押圧部材を備えたことを特徴とする請求項３に記載のシート穿孔装置。
【請求項６】
前記第二の刃に生じるパンチ屑を除去するための屑除去手段を備えていることを特徴とする請求項３記載のシート穿孔装置。
【請求項７】
前記第一の刃と前記第二の刃が別体であり、互いに対向して配置されていることを特徴とする請求項１又は２に記載のシート穿孔装置。
【請求項８】
前記第一の刃に生じるパンチ屑を除去するための屑除去手段を備えていることを特徴とする請求項７記載のシート穿孔装置。
【請求項９】
シートに画像を形成する画像形成部と、画像形成されたシートにパンチ孔を形成する請求項１乃至８のいずれか１項に記載のシート穿孔装置とを備えたことを特徴とする画像形成装置。
【手続補正２】
【補正対象書類名】明細書
【補正対象項目名】００１１
【補正方法】変更
【補正の内容】
【００１１】
本発明は、シート面に対して移動可能であり、移動方向の先端に凹凸部を備えた第一の刃と、前記第一の刃が凸部を先頭に、シートの一方の面側から嵌入することにより前記第一の刃とともにシートにパンチ孔を形成する第一のダイと、シート面に対して移動可能であり、移動方向の先端に凹凸部を備えた第二の刃と、前記第二の刃が凸部を先頭に、シートの他方の面側から嵌入する第二のダイと、を備え、前記第二の刃は、前記第一の刃と前記第一のダイによりパンチ孔が形成されたシートの他方の面側から前記パンチ孔に挿入し、前記第二のダイに嵌入するとともに、前記第一の刃と前記第二の刃は、前記第一の刃の凸部と前記第二の刃の凸部とが前記パンチ孔の外周においてずれた位置に接触するよう配置されていることを特徴とする。
【手続補正３】
【補正対象書類名】明細書
【補正対象項目名】００６５
【補正方法】変更
【補正の内容】
【００６５】
シート穿孔装置２０２の穿孔動作を説明する。まず、スライドラック６０８がモータ６１２により駆動される事で平行ピン６２３ａ、６２３ｂ、６２３ｃ、６２３ｄは、Ｖ溝が形成されているカム溝６０８ａ、６０８ｂ、６０８ｃ、６０８ｄに沿って移動する。そして図１７のように第一の刃６０９がＪ方向に移動する。そして、第一の刃６０９は、第一のダイ６５５の第一のダイ孔６１８に進入し、シートＰにパンチ孔を開ける。
【手続補正４】
【補正対象書類名】図面
【補正対象項目名】図６
【補正方法】変更
【補正の内容】
【図６】
2011005603.tif 000001
【手続補正５】
【補正対象書類名】図面
【補正対象項目名】図７
【補正方法】変更
【補正の内容】
【図７】
2011005603.tif 000002
【手続補正６】
【補正対象書類名】図面
【補正対象項目名】図８
【補正方法】変更
【補正の内容】
【図８】
2011005603.tif 000003